(57)【要約】【課題】  ２つの金属部材を接合して作製される高品質の消費者向け製品において、より好適な接合部を有する製品を提供する。【解決手段】  クラブヘッド１００は、中空ボディ１１０とカップフェイス１２０を備えている。中空ボディ１１０は、トウ端部１３０、ヒール端部１３５、クラウン部１４０、ソール部１４５、開口部１５０、スカート部１５５を有している。クラブヘッド１００は、第一金属材料で作製されている。カップフェイス１２０は、表面１８０、上部部分１９０、底部分を有している。カップフェイス１２０は、第二金属材料で作製されている。カップフェイス１２０は、開口部１５０で中空ボディ１１０と接合されている。カップフェイス１２０の少なくとも上部部分１９０が、開口部１５０の凹状のエッジと接合するために表面１８０に対して凸状のエッジを有する。【選択図】  図１
2008155018.tif 000002
【特許請求の範囲】
【請求項１】
ヒール端部、トウ端部、スカート部、ソール部、クラウン部を有し、前記ソール部と前記クラウン部の少なくとも一方が前記スカート部に対して凹状に湾曲したエッジを有する第一金属材料の中空ボディと、
ボールを打撃する表面を有する第二金属材料のカップフェイスと、
前記中空ボディと前記カップフェイスを接合するろう付け接合部と、
を備えており、
ろう付け接合部の少なくとも一部は、前記ヒール端部と前記トウ端部間のエッジに沿った経路に伸びていることを特徴とする用具。
【請求項２】
前記ろう付け接合部の少なくとも一部が、ベル形状、Ｕ字形状、またはパラボラ形状を有していることを特徴とする請求項１に記載の用具。
【請求項３】
前記ろう付け接合部が第三金属材料で作製されており、前記第三金属材料は銅および銅合金の少なくとも一つであることを特徴とする請求項１に記載の用具。
【請求項４】
前記ろう付け接合部が、少なくとも突き当て接合部および二段突き当て接合部の一つを含むことを特徴とする請求項１に記載の用具。
【請求項５】
前記第一金属材料が、ステンレススチール、アルミニウム、タングステン、およびニッケル合金の少なくとも一つを含むことを特徴とする請求項１に記載の用具。
【請求項６】
前記第二金属材料が、チタニウムおよびチタニウム合金の少なくとも一つを含むことを特徴とする請求項１に記載の用具。
【請求項７】
メタルウッドタイプのゴルフクラブ、およびハイブリッドタイプのゴルフクラブの少なくとも一つに用いられていることを特徴とする請求項１に記載の用具。
【請求項８】
ヒール端部、トウ端部、クラウン部、ソール部、前記ヒール端部と前記トウ端部間で延伸するスカート部、前記スカート部に対して凹状に湾曲する少なくとも一つのエッジを有する開口部を有する第一金属材料の中空ボディと、
前記開口部で前記中空ボディと接合する第二金属材料のカップフェイスと、
を備えており、
前記カップフェイスはボールを打撃する表面、上側部分、底部分を有し、前記上部部分および前記底部分の少なくとも一つが、前記開口部の凹状エッジと接合するために表面に対して凸状のエッジを有するクラブヘッド。
【請求項９】
前記少なくとも一つの凹状エッジが、前記クラウン部および前記ソール部の少なくとも一方に備えられていることを特徴とする請求項８に記載のクラブヘッド。
【請求項１０】
前記凸状のエッジが、ベル形状、Ｕ字形状、およびパラボラ形状の少なくとも一つを有していることを特徴とする請求項８に記載のクラブヘッド。
【請求項１１】
前記中空ボディと前記カップフェイスが、第三金属材料の充填材を用いるろう付けにより開口部で接合され、
前記第三金属材料が、銅および銅合金の少なくとも一つを含むことを特徴とする請求項８に記載のクラブヘッド。
【請求項１２】
前記第一金属材料が、ステンレススチール、アルミニウム、タングステン、およびニッケル合金の少なくとも一つを含むことを特徴とする請求項８に記載のクラブヘッド。
【請求項１３】
前記第二金属材料が、チタニウムおよびチタニウム合金の少なくとも一つを含むことを特徴とする請求項８に記載のクラブヘッド。
【請求項１４】
メタルウッドタイプのゴルフクラブおよびハイブリッドタイプのゴルフクラブの少なくとも一つに用いられていることを特徴とする請求項８に記載のクラブヘッド。
【請求項１５】
ヒール端部、トウ端部、前面端部、背面端部、底壁、上壁、前記前面端部の開口部、背面端部に対して凹状に湾曲する前記前面端部の少なくとも一つの非直線エッジを有する第一金属材料で作製されている第一部分と、
ゴルフボールを打撃するための表面を有し、開口部で前記第一部分を囲むよう構成された第二金属材料で作製されている第二部分と、
ろう付けにより前記第一部分の前面で前記第二部分に接合され、前記ヒール端部と前記トウ端部間で前記非直線エッジに沿って延伸する第三金属材料で作製されている円弧状接合部と、
を備えるゴルフクラブヘッド。
【請求項１６】
前記少なくとも一つの非直線エッジが、底壁および上壁の少なくとも一方に備えられていることを特徴とする請求項１５に記載のゴルフクラブヘッド。
【請求項１７】
前記円弧状接合部が、ベル形状、Ｕ字形状、およびパラボラ形状の少なくとも一つ有していることを特徴とする請求項１５に記載のゴルフクラブヘッド。
【請求項１８】
前記第一金属材料が、ステンレススチール、アルミニウム、タングステン、およびニッケル合金の少なくとも一つを含むことを特徴とする請求項１５に記載のゴルフクラブヘッド。
【請求項１９】
前記第二金属材料が、チタニウムおよびチタニウム合金の少なくとも一つを含むことを特徴とする請求項１５に記載のゴルフクラブヘッド。
【請求項２０】
前記第三金属材料が、銅および銅合金の少なくとも一つを含むことを特徴とする請求項１５に記載のゴルフクラブヘッド。
【発明の詳細な説明】
【技術分野】
【０００１】
本開示は、概してゴルフ用具に関するものであり、より詳細には、円弧状接合部を有するゴルフクラブヘッド、およびゴルフクラブヘッドの製造方法に関するものである。
【背景技術】
【０００２】
２つの金属部材を接合するために、例えばろう付け、接着剤接合、機械的接合（例えばボルト止め）、ハンダ付け、および／または溶接等の種々の技術およびプロセスを用いることができる。高品質の消費者向け製品等におけるいくつかの用途では、ろう付けプロセスが他の接合技術およびプロセスと比べて有利な場合がある。２つの異種金属（例えば、スチールとチタニウム）の接合能力のために、製品設計において、ろう付けプロセスにより多くの材料選択の可能性が生まれる。一般的に、ろう付け接合部により、２つの金属部材の良好な仕上げと綺麗な外観が得られる（すなわち、ろう付け接合部は余分な研磨または仕上げを必要としない）。他の接合技術やプロセスと違ってろう付けプロセスは、薄肉構造（例えばシート金属）の溶け落ちが仮にあったとしても少ない。さらに、ろう付け接合部は、接着した２つの金属部材と比べて一般的により強力であるので、ろう付け接合部は厳しい振動や衝撃に耐えることができる。したがって、ろう付けプロセスは、ゴルフクラブヘッドを製造するのに非常に適していると言える。
【発明の開示】
【発明が解決しようとする課題】
【０００３】
本発明は、２つの金属部材を接合して作製される消費者向け製品において、より好適な接合部を有する製品を提供する。
【課題を解決するための手段】
【０００４】
本明細書によって開示される１つの技術は、中空ボディとカップフェイスとろう付け接合部とを備えている用具である。中空ボディは、ヒール端部、トウ端部、スカート部、ソール部、クラウン部を有している。また、中空ボディは、ソール部とクラウン部の少なくとも一方がスカート部に対して凹状に湾曲したエッジを有する第一金属材料である。カップフェイスは、ボールを打撃する表面を有する第二金属材料である。ろう付け接合部は、中空ボディとカップフェイスを接合する。そして、ろう付け接合部の少なくとも一部は、ヒール端部とトウ端部間のエッジに沿った経路に伸びている。
この用具では、中空ボディの凹状のエッジの形状を変化させることによって、中空ボディの体積、すなわち重さを変化させることができる。その結果、用具に用いられる第一金属材料の中空ボディと第二金属材料のカップフェイスの割合を変化させることができる。これにより、用具の重量バランスを変化させることができる。また、この用具では、ろう付け接合部により、中空ボディとカップフェイスの２つの金属部材の良好な仕上げと綺麗な外観が得られる。
中空ボディとカップフェイスとの接合部は、ろう付け以外の適切な接着および／または可融性技術とプロセスを使用してもよい。
【０００５】
また、本明細書によって開示される１つの技術は、中空ボディとカップフェイスを備えるクラブヘッドである。中空ボディは、ヒール端部、トウ端部、クラウン部、ソール部、ヒール端部とトウ端部間で延伸するスカート部、スカート部に対して凹状に湾曲する少なくとも一つのエッジを有する開口部を有する第一金属材料である。カップフェイスは、開口部で中空ボディと接合する第二金属材料である。カップフェイスは、ボールを打撃する表面と上側部分と底部分を有している。そして、カップフェイスの上部部分および底部分の少なくとも一つが、開口部の凹状のエッジと接合するために表面に対して凸状のエッジを有する。
このクラブヘッドでは、中空ボディとカップフェイスが異なる金属材料で作製されている。そのため、中空ボディの凹状のエッジとそれに対応するカップフェイスの凸状のエッジの形状を変えることにより、クラブヘッドの重量バランスを調整することができる。
【０００６】
また、本明細書によって開示される１つの技術は、第一部分と第二部分と円弧状接合部とを備えるゴルフクラブヘッドである。第一部分は、ヒール端部、トウ端部、前面端部、背面端部、底壁、上壁、前面端部の開口部、背面端部に対して凹状に湾曲する前面端部の少なくとも一つの非直線エッジを有する第一金属材料で作製されている。第二部分は、ゴルフボールを打撃するための表面を有し、開口部で第一部分を囲むよう構成された第二金属材料で作製されている。円弧状接合部は、ろう付けにより第一部分の前面で第二部分に接合され、ヒール端部とトウ端部間で非直線エッジに沿って延伸する第三金属材料で作製されている。
このゴルフクラブヘッドにおいても、上記したクラブヘッドと同様に、ゴルフクラブヘッドの重量バランスを調整することができる。また、ろう付けにより、円弧状接合部の良好な仕上げと綺麗な外観が得られる。
【実施例】
【０００７】
ここでは全体として、円弧状の接合部を有するゴルフクラブヘッドに関連した製造方法、用具、物品を記述する。しかし、ここで記載する製造の方法、用具、物品は、ここでの内容に制限されるものではない。
【０００８】
図１〜６の例において、ゴルフクラブヘッド１００は、中空ボディ１１０とカップフェイス１２０を有する。中空ボディ１１０は、トウ端部１３０、ヒール端部１３５、クラウン部１４０（すなわち上壁）、ソール部１４５（すなわち底壁）、開口部１５０、スカート部１５５（すなわち側壁）を有する。開口部１５０は、中空ボディ１１０の前端部１６０に位置し、トウ端部１３０とヒール端部１３５の間に伸びている。スカート部１５５は、クラウン部１４０とソール部１４５の間に位置し、トウ端部１３０からヒール端部１３５までゴルフクラブヘッド１００の背面端部１６５の周りを包んでいる。すなわち、クラウン部１４０は、中空ボディ１１０の背面、すなわち、カップフェイス１２０と対向する位置でスカート部１５５を介してソール部１４５と連結されている。
【０００９】
中空ボディ１１０はまた、ホーゼル１７０およびホーゼル接続部１７５を有する。例えば、ホーゼル１７０はヒール端部１３５、またはヒール端部１３５に近接して位置していてもよい。ホーゼル１７０は、中空ボディ１１０からホーゼル接続部１７５を経由して伸びている。ゴルフクラブを形成するために、ホーゼル１７０がシャフト（図示せず）の端部を収容する。シャフトは、接着剤接合プロセス（例えばエポキシ）および／または他の適切な接合プロセス（例えば機械的接合、ハンダ付け、溶接、および／またはろう付け）により、ゴルフクラブヘッド１００に固定する。
【００１０】
ゴルフクラブヘッド１００を形成するために、カップフェイス１２０が中空ボディ１１０の開口部１５０を覆っている。カップフェイス１２０は、表面１８０、上部部分１９０、底部分１９５を有する。一例において、表面１８０はゴルフボールを打撃するように構成される。具体的には、表面１８０は複数の溝１８５を有する。複数の溝１８５は、表面１８０上でトウ端部１３０とヒール端部１３５の間で一方向に伸びている。上部部分１９０と底部分１９５は、カップフェイス１２０を中空ボディ１１０のクラウン部１４０、ソール部１４５およびスカート部１５５と開口部１５０で接合するように構成される。
【００１１】
一例において、中空ボディ１１０は、前面端部１６０に位置する一つまたは複数の円弧状エッジ（すなわち図２と４のそれぞれ２１０と４１０）を有する。したがって、カップフェイス１２０は、開口部１５０で中空ボディ１１０と接合するために、一つまたは複数の円弧状エッジ（すなわち図２と４のそれぞれ２１５と４１５）も有する。図２，３で図示するように、クラウン部１４０は、中空ボディ１１０のスカート部１５５または背面端部１６５に対して凹状に湾曲した（すなわちスカート部１５５または背面端部１６５に向かう方向に湾曲した）円弧状エッジ２１０を有する。円弧状エッジ２１０は、トウ端部１３０とヒール端部１３５の間で伸びている。図４と５の例において、ソール部１４５は、中空ボディ１１０のスカート部１５５または背面端部１６５に対して凹状に湾曲した（すなわちスカート部１５５または背面端部１６５に向かう方向に湾曲した）円弧状エッジ４１０を有する。円弧状エッジ４１０は、トウ端部１３０とヒール端部１３５の間で伸びている。中空ボディ１１０はまた、ヒール端部１３５でクラウン部１４０とソール部１４５の間で延伸して、円弧状エッジ２１０と４１０に繋がる接続部エッジ２３０を有する。一例において、接続部エッジ２３０はＵ字形状に形成されていてもよい。
【００１２】
ゴルフクラブヘッド１００を形成するために、中空ボディ１１０とカップフェイス１２０とをお互いに接合するために位置合わせをする。例えば、図２と３を参照すると、上部部分１９０は、表面１８０に対して凸状に湾曲した（すなわち表面１８０に離間する方向に湾曲した）円弧状エッジ２１５を有する。円弧状エッジ２１５は、トウ端部１３０とヒール端部１３５の間で伸びている。例えば、図４と５を参照すると、底部分１９５は、表面１８０に対して凸状に湾曲した（すなわち表面１８０に離間する方向に湾曲した）円弧状エッジ４１５を有する。円弧状エッジ４１５は、トウ端部１３０とヒール端部１３５の間で伸びている。カップフェイス１２０はまた、ヒール端部１３５で上部部分１９０と底部分１９５の間で延伸して、円弧状エッジ２１５と４１５に繋がる接続部エッジ２３５も有する。例えば、接続部エッジ２３５は、Ｕ字形状または他の適切な形状としているので、カップフェイス１２０が中空ボディ１１０の開口部１５０を覆う。したがって、中空ボディ１１０の円弧状エッジ２１０をカップフェイス１２０の円弧状エッジ２１５に、中空ボディ１１０の円弧状エッジ４１０をカップフェイス１２０の円弧状エッジ４１５に、そして中空ボディ１１０の接続部エッジ２３０をカップフェイス１２０の接続部エッジ２３５に合わせることにより、カップフェイス１２０が中空ボディ１１０の開口部１５０を覆う。
【００１３】
図２〜５で示すように、円弧状エッジ２１５と４１５は、ベル形状、Ｕ字形状、パラボラ形状、あるいは他の適切な形状とすることができる。円弧状エッジ２１５と４１５のそれぞれには先端点２２０と４２０がある。それぞれの先端点２２０と４２０は、それぞれ円弧状エッジ２１５と４１５の表面１８０から最も離れた点である。例えば、その先端点２２０および／または４２０は、表面１８０のスイートスポットの中心の垂直直線上に配置されていてもよい。そのスイートスポットは、人が効率的にボールを打つ表面１８０上の領域である。一例において、スイートスポットが表面１８０の中心に、あるいはその近くに位置していてもよい。別の例では、スイートスポットが、ヒール端部１３５よりトウ端部１３０に近く位置する表面１８０上の領域であってもよく、あるいはその逆であってもよい。
【００１４】
以下に詳細を記述するように、中空ボディ１１０とカップフェイス１２０は、二つの異種金属材料（すなわち都合よくおよび／または物理的に一緒に溶接できない二つの金属材料）で作製される。例えば、中空ボディ１１０を、ステンレススチール、アルミニウム、タングステン、ニッケル合金、および／または他の適切な材料のような高密度金属材料で作製することができる。一方において、カップフェイス１２０は、チタニウム、チタニウム合金、および／または他の適切な材料のような比較的軽量な金属材料で作製することができる。中空ボディ１１０のスカート部１５５または背面端部１６５に対して凹状に湾曲した円弧状エッジ２１０とすることにより、中空ボディ１１０のサイズが小さくなる（すなわち、ゴルフクラブヘッド１００を製造するために使用する高密度金属材料が少ない）。表面１８０に対して凸状に湾曲した円弧状エッジ２１５および４１５とすることにより、カップフェイス１２０のサイズは大きくなる（すなわち、ゴルフクラブヘッド１００を製造するために使用する軽量金属材料が多い）。比較的軽量な金属材料が増加することで、ゴルフクラブヘッド１００の中心での質量は、円弧状エッジ２１０，２１５，４１０，４１５により減少する。したがって、中空ボディ１１０は、より大きい慣性モーメント（ＭＯＩ）を生み出し、それにより表面１８０がボールを打撃するときの、感触そして／またはゴルフクラブヘッド１００から出る音に影響する。
【００１５】
さらに、円弧状エッジ２１０と４１０とすることにより中空ボディ１１０の構造が必要とする高密度金属材料が減るので、円弧状エッジ２１０と４１０は、中空ボディ１１０の内部に一つ以上のウエイトパッドを挿入できるさらなる可能性が得られる。加えて、表面１８０がボールを打撃するとき、カップフェイス１２０は比較的軽量な金属材料の基本応答周波数で振動する。したがって、人がそのゴルフクラブヘッド１００を使ってゴルフボールを打撃するとき、人にはゴルフクラブヘッド１００の適切な音響的および／または振動的フィードバックが得られる。しかし、ここで記載する製造の方法、用具、物品は、ここでの内容に制限されるものではない。
【００１６】
上述したように、ろう付けプロセスは、二つの異種金属部材を接合するのに非常に適している。したがって、中空ボディ１１０とカップフェイス１２０をともに接合するために、ろう付けプロセスを使用することができる。一例では、中空ボディ１１０をタングステンベースの金属のような第一金属材料で作製するのに対して、カップフェイス１２０をチタニウムベースの金属のような第二金属材料で作製してもよい。図６参照すると、例えば、中空ボディ１１０とカップフェイス１２０を、銅ベースの金属、または他の適切な材料（すなわちスズ、亜鉛、銀など）のような第三の充填金属で作製するろう付け接合部６００（すなわち図７と８それぞれのろう付け接合部７００と８００）により接合する。円弧状エッジ２１０，２１５，４１０，４１５（図２〜５）により、ろう付け接合部６００をゴルフクラブヘッド１００の高応力ポイントから離れて位置するものとなる。ろう付け接合部６００は、円弧状エッジ２１０，２１５，４１０，４１５により形成された経路で伸びている。さらに、ろう付け接合部６００は、クラウン部１４０、上部部分１９０、ホーゼル接続部１７５、表面１８０、ソール部１４５、スカート部１５５、底部分１９５の間で、接続部エッジ２３０と２３５により形成した経路を伸びている。
【００１７】
ろう付けプロセスはまた、ろう付け接合部６００において、中空ボディ１１０とカップフェイス１２０の良好な仕上げと綺麗な外観が得られる（すなわち、追加の研磨や仕上げを必要としない）。さらに、中空ボディ１１０のクラウン部１４０、ソール部１４５、および／またはスカート部１５５を薄肉構造とすることができる。したがって、ろう付けプロセスは他の接着プロセスと比べて、クラウン部１４０および／またはソール部１４５の溶け落ちが少なくなるので、ろう付けプロセスは中空ボディ１１０をカップフェイス１２０に接合するのに適している。さらに、ろう付け接合部６００は二つの金属ピース（すなわち中空ボディ１１０とカップフェイス１２０）を接着するよりも強力であるので、ろう付け接合部６００は厳しい振動や衝撃に耐える。ろう付けプロセスによって中空ボディ１１０とカップフェイス１２０を接合することにより、ゴルフクラブヘッド１００は、カップフェイス１２０の表面１８０上のゴルフボールによる繰り返し衝撃に耐えることができる。
【００１８】
ろう付け接合部６００は、任意の適切なタイプの接合部でよい。一例では、ろう付け接合部６００が蟻溝接合部（図６）であってもよい。別の例として図７を参照すると、ろう付け接合部６００は突き当て接合部７００であってもよい。接合部７００は、同一平面で端面同士が配置されて位置している。一例では、各円弧状エッジ２１０と２１５が、実質的に縦方向の直線状エッジ７１０と７１５それぞれを有している。別の例では各円弧状エッジ２１０と２１５が、傾斜した直線状エッジ（図示せず）を有していてもよい。図８を参照すると、さらに別の例では、ろう付け接合部６００を二段突き当て接合部８００であってもよい。接合部８００はＳ字形状を有している。一つの例では、各円弧状エッジ２１０と２１５が、それぞれＬ字形状をしたエッジ８１０と８１５であってもよい。しかし、ここで記載する製造の方法、用具、物品は、ここでの内容に制限されるものではない。
【００１９】
図６に戻って、カップフェイス１２０の表面１８０、上部部分１９０、底部分１９５はＵ字形状に形成されている。代替的に、カップフェイス１２０は、Ｌ字形状のような適切な別の形状で構成することができる。一つの例では、カップフェイス１２０は、表面１８０と上部部分１９０を有しているが、Ｌ字形状とするために底部分１９５がなくてもよい。別の例ではカップフェイス１２０に、表面１８０と底部分１９５があるが、Ｌ字形状とするために上部部分１９０のないことがある。しかし、ここで記載する製造の方法、用具、物品は、ここでの内容に制限されるものではない。
【００２０】
図１〜６はメタルウッドタイプクラブヘッド（すなわち、ドライバー、フェアウエイウッドなど）を示しているが、ここで記載する製造の方法、用具、物品を、適切な別のタイプのゴルフクラブヘッドにも適用できる。例えば、ここで記載する製造の方法、用具、物品をハイブリッドタイプのクラブヘッド、または他の適切なタイプのゴルフクラブに適用できる。
【００２１】
上記の例は、ゴルフクラブヘッド１００の種々の部分および／または表面について記述したが、ゴルフクラブヘッド１００が特定の部分および／または表面を有さなくてもよい。例えば、図１〜６では、クラウン部１４０、ソール部１４５、スカート部１５５を別個の表面として示しているが、スカート部１５５をクラウン部１４０またはソール部１４５のいずれかと一緒で、中空ボディ１１０の単一表面とすることもある（すなわち、中空ボディ１１０にはクラウン部１４０とソール部１４５があるが、スカート部１５５がない）。一例では、ソール部１４５とスカート部１５５を、ゴルフクラブヘッド１００の単一底部面とすることもある。同様に、表面１８０、上部部分１９０、底部分１９５を別個の表面として示しているが、表面１８０を上部部分１９０または底部分１９５のいずれかと一緒で、カップフェイス１２０の単一表面とすることもある。さらに、図１〜６では、ホーゼル１７０およびホーゼル接続部１７５を示しているが、ゴルフクラブヘッド１００はホーゼル１７０および／またはホーゼル接続部１７５を有さなくてもよい。一例では、シャフトを収容するために、ゴルフクラブヘッドが中空ボディ１１０の中に孔（図示せず）を有していることがある（すなわち、孔の開口部はクラウン部１４０と同一面である）。ここで記載する製造の方法、用具、物品は、ここでの内容に制限されるものではない。
【００２２】
上記の例は、円弧状エッジ２１０と４１０を有する中空ボディ１１０を示しているが、クラウン部１４０またはソール部１４５のいずれかに設けられるエッジの一つを、略直線エッジとすることがある。図９〜１１の例において、ゴルフクラブヘッド９００は、中空ボディ９１０とカップフェイス９２０を有する。中空ボディ９１０は、トウ端部９３０、ヒール端部９３５、クラウン部９４０（すなわち上壁）、ソール部９４５（すなわち底壁）、およびスカート部９５５（すなわち側壁）を有する。スカート部９５５は、クラウン部９４０とソール部９４５の間に位置し、トウ端部９３０からヒール端部９３５までゴルフクラブヘッド９００の背面端部９６５の周りを包んでいる。中空ボディ９１０はまた、ホーゼル９７０およびホーゼル接続部９７５も有する。例えば、ホーゼル９７０はヒール端部９３５またはヒール端部９３５に近接して位置している。ホーゼル９７０は、クラウン部９４０からホーゼル接続部９７５を経由して伸びている。
【００２３】
カップフェイス９２０は、表面９８０、上部部分９９０、底部分９９５を有する。表面９８０は、ボールを打撃するような形に構成される。具体的には、表面９８０は複数の溝９８５を有する。複数の溝９８５は、表面９８０上でトウ端部９３０とヒール端部９３５の間で一方向に伸びている。上部部分９９０と底部分９９５は、カップフェイス９２０と中空ボディ９１０を開口部９５０で接合するように構成される。
【００２４】
ゴルフクラブヘッド１００（図１〜６）と違って、ゴルフクラブヘッド９００は円弧状エッジ１０１０と直線状エッジ１１１０を有する。具体的には、中空ボディ９１０は、クラウン部９４０の前面端部９６０に円弧状エッジ１０１０を有し、ソール部９４５の前面端部９６０に直線状エッジを有する。円弧状エッジ１０１０と直線状エッジ１１１０は、トウ端部９３０とヒール端部９３５の間で伸びている。円弧状エッジ１０１０は、中空ボディ９１０のスカート部９５５または背面端部９６５に対して凹状に湾曲している。中空ボディ９１０はまた、ヒール端部９３５でクラウン部９４０とソール部９４５の間で延伸して、円弧状エッジ１０１０と直線状エッジ１０１０に繋がる接続部エッジ１０３０を有する。それに応じて、カップフェイス９２０も、上部部分９９０で円弧状エッジ１０１５を、そして底部分９９５で直線状エッジ１１１５を有する。円弧状エッジ１０１５は、カップフェイス９２０の表面９８０に対して凸状に湾曲している。カップフェイス９２０はまた、上部部分９９０と底部分９９５の間で延伸し、円弧状エッジ１０１５と直線状エッジ１１１５に繋がる接続部エッジ１０３５を有している。
【００２５】
ゴルフクラブヘッド９００を形成するために、中空ボディ９１０の円弧状エッジ１０１０をカップフェイス９２０の円弧状エッジ１０１５と、中空ボディ９１０の直線状エッジ１１１０をカップフェイス９２０の直線状エッジ１１１５と重ね合わせることにより、カップフェイス９２０が中空ボディ９１０の前面端部９６０で、開口部９５０を覆っている。ろう付け接合部１０００は、中空ボディ９１０を円弧状エッジ１０１０と１０１５および直線状エッジ１１１０と１１１５でカップフェイス９２０に接合する。ろう付け接合部１０００は、円弧状エッジ１０１０と１０１５により形成された円弧状経路でだけでなく、直線状エッジ１１１０と１１１５により形成された略直線状の経路で伸びている。
【００２６】
代替的に、クラウン部９４０が前面端部９６０で直線状エッジを有する一方、ソール部９４５が前面端部９６０で円弧状エッジを有していてもよい。中空ボディ９１０とカップフェイス９２０をともに接合するために、上部部分９９０が直線状エッジを有する一方、底部分９９５が円弧状エッジを有する。結果として、ろう付け接合部１０００は、クラウン部９４０と上部部分９９０の直線状エッジにより形成された略直線状の経路を、そしてソール部９４５と底部分９９５の円弧状エッジにより形成された円弧状の経路で伸びる。ここで記載する製造の方法、用具、物品は、ここでの内容に制限されるものではない。
【００２７】
図１２の例において、ゴルフクラブヘッド１００を形成するための中空ボディ１１０（図１）を用意する（ブロック１２１０）ことで、プロセス１２００が始まる。上述したように、中空ボディ１１０は高密度金属材料（例えばスチール）で作製される。中空ボディ１１０には、中空ボディ１１０のスカート部１５５または背面端部１６５に対して凹状に湾曲した一つまたは複数のエッジ（すなわち図２〜５の円弧状エッジ２１０および／または４１０）がある。プロセス１２００は、カップフェイス１２０（図１）を用意する（ブロック１２２０）。カップフェイス１２０には、ゴルフボールを打撃する表面１８０がある。カップフェイス１２０はまた、表面１８０に対して凸状で湾曲する一つまたは複数のエッジも有する（すなわち、図２〜５の円弧状エッジ２１５および／または４１５）。カップフェイス１２０は比較的軽量な金属材料（例えば、チタニウム）で製造される。
【００２８】
さらに、カップフェイス１２０は中空ボディ１１０の開口部１５０を覆う（ブロック１２３０）。上述したように、中空ボディ１１０とカップフェイス１２０は、異種の金属材料で作製されている。したがって、中空ボディ１１０とカップフェイス１２０をろう付けプロセスにより接合する。具体的には、ろう付けプロセスは、中空ボディ１１０とカップフェイス１２０の間で金属充填材料（例えば銅）を用いて、ろう付け接合部６００を形成する（ブロック１２４０）。ろう付け接合部６００は、トウ端部１３０とヒール端部１３５の間を伸びる。具体的には、ろう付け接合部６００は、円弧状エッジ２１０，２１５，４１０，４１５（すなわち上部と底部）により形成された経路で伸びる。さらに、ろう付け接合部６００はまた、クラウン部１４０、上部部分１９０、ホーゼル接続部１７５、表面１８０、ソール部１４５、スカート部１５５、底部分１９５（すなわち側面）の間の接続部エッジ２３０と２３５により形成された経路で伸びる。ここで記載する製造の方法、用具、物品は、ここでの内容に制限されるものではない。
【００２９】
上述プロセス１２００は、ゴルフクラブヘッド１００に関して記述しているが、図９のゴルフクラブヘッド９００のような別のゴルフクラブヘッドにも、プロセス１２００を適用できる。さらに、図１２で過程の特定の順番が示されているが、これらの過程を別の時間的順序で行ってもよい。例えば、図１２に示された二つまたはそれ以上の過程を、順番に、一斉に、あるいは同時に行うこともある。
【００３０】
上記の例は、中空ボディ１１０とカップフェイス１２０を接合するために、ろう付けプロセスの使用を説明したが、ここで記載する製造の方法、用具、物品は、他の適切な接着および／または可融性技術とプロセスを使用してもよい。
【００３１】
ここでは、製造する方法、用具、物品の特定例を説明したが、この開示がカバーする範囲はそれに制限されない。反対に、この開示は、付属する請求項の範囲内に文言上または均等論の下で正当に該当する製造の方法、用具、および／または物品全てをカバーする。
【図面の簡単な説明】
【００３２】
【図１】ここで記載された製造の方法、用具、物品の実施例における一例のゴルフクラブヘッドの透視図。
【図２】図１の一例の中空ボディおよびカップフェイスの上部外観を示している。
【図３】図１の一例のゴルフクラブヘッドの上部外観を示している。
【図４】図１の一例の中空ボディとカップフェイスの底部外観を示している。
【図５】図１の一例のゴルフクラブヘッドの底部外観を示している。
【図６】図１における一例のゴルフクラブヘッドの６−６線に沿った断面を示している。
【図７】一例のろう付け接合部の一部の断面を示している。
【図８】別の例ののろう付け接合部例の一部の断面を示している。
【図９】製造の方法、用具、物品の別の実施例における一例のゴルフクラブヘッドの透視図。
【図１０】図９における一例のゴルフクラブヘッドの上部外観を示している。
【図１１】図９における一例のゴルフクラブヘッドの底部外観を示している。
【図１２】図１における一例のゴルフクラブヘッドを製造する一つの方法のフロー図。
【符号の説明】
【００３３】
１００；クラブヘッド
１１０：中空ボディ
１２０：カップフェイス
１３０：トウ端部
１３５：ヒール端部
１４０：クラウン部
１４５：ソール部
１５０：開口部
１５５：スカート部
１６０：前端部
１６０：前面端部
１６５：背面端部
１９０：上部部分
１９５：底部分
２１０，２１５，４１０，４１５：円弧状エッジ
７１０：直線状エッジ
９００：ゴルフクラブヘッド
９１０：中空ボディ
９２０：カップフェイス
９３０：トウ端部
９３５：ヒール端部
９４０：クラウン部
９４５：ソール部
９５０：開口部
９５５：スカート部
９６０：前面端部
９６５：背面端部
９９０：上部部分
９９５：底部分
【図１】
2008155018.tif 000003
【図２】
2008155018.tif 000004
【図３】
2008155018.tif 000005
【図４】
2008155018.tif 000006
【図５】
2008155018.tif 000007
【図６】
2008155018.tif 000008
【図７】
2008155018.tif 000009
【図８】
2008155018.tif 000010
【図９】
2008155018.tif 000011
【図１０】
2008155018.tif 000012
【図１１】
2008155018.tif 000013
【図１２】
2008155018.tif 000014